(57)【要約】【課題】  画像処理装置には、さまざまな画像処理が搭載されているが、ユーザーにより効果的に利用されていない場合がある。また、ユーザーが設定を行う際もＵＩ上で深い階層にある画像処理は使われにくい。【解決手段】  上記課題を解決するために、本発明の画像処理装置は、入力した画像を出力する場合の設定を受信する受信手段と、前記受信手段により受信した設定で画像を入力する入力手段と、前記入力手段により入力した画像の解析結果と前記受信手段により受信した設定の内容により、前記入力された画像に対して画像処理を実行して出力する場合に効果があるか否か判定する判定手段と、前記判定手段により効果があると判定された前記画像処理を表示させる表示手段とを有することを特徴とする。【選択図】  図６
2014107628.tif 000002
【特許請求の範囲】
【請求項１】
入力した画像を出力する場合の設定を受信する受信手段と、
前記受信手段により受信した設定で画像を入力する入力手段と、
前記入力手段により入力した画像の解析結果と前記受信手段により受信した設定の内容により、前記入力された画像に対して画像処理を実行して出力する場合に効果があるか否か判定する判定手段と、
前記判定手段により効果があると判定された前記画像処理を表示させる表示手段とを有することを特徴とする画像処理装置。
【請求項２】
前記表示手段により表示された画像処理を実行するよう指示を受けると、
前記入力手段により入力された画像に対して前記表示手段により表示された画像処理が実行された画像を出力することを特徴とする請求項１に記載の画像処理装置。
【請求項３】
前記受信手段により受信した設定を用いて前記入力手段により入力された画像を出力する前に、前記表示手段により前記画像処理を表示させることを特徴とする請求項１に記載の画像処理装置。
【請求項４】
前記受信手段により受信した設定を用いて、前記入力手段により入力された画像を出力する際に、前記表示手段により前記画像処理を表示させることを特徴とする請求項１に記載の画像処理装置。
【請求項５】
前記画像処理とは、白紙スキップ処理であり、
前記判定手段は、前記入力手段により入力された画像を解析して得られた前記入力された画像の枚数と前記入力手段で入力された設定の内容とを取得し、前記白紙スキップ処理を実行することにより削減される出力用紙枚数を取得することで、前記白紙スキップを実行した場合に効果があるか否か判定することを特徴とする請求項１に記載の画像処理装置。
【請求項６】
前記画像処理とは、白紙スキップ処理であり、
前記判定手段により、前記白紙スキップ処理を実行した場合に効果があると判定されると、前記表示手段に、前記入力された画像のうち白紙と判定された画像と削減される出力用紙枚数とを表示させることを特徴とする請求項１に記載の画像処理装置。
【請求項７】
前記表示手段により表示させる前記入力された画像のうち、白紙と判定された画像に対して、前記白紙スキップ処理を実行するか否か指示する指示手段を有する請求項６に記載の画像処理装置。
【請求項８】
前記画像処理とは、文字強調処理であり、
前記判定手段にて、前記受信手段により受信した設定の内容がモノクロ入力及び／またはカラー出力であると判定された場合は、前記文字強調処理を実行した場合に効果がないと判定することを特徴とする請求項１に記載の画像処理装置。
【請求項９】
前記画像処理とは、文字強調処理であり、
前記判定手段にて、前記前記受信手段により受信した設定の内容がカラー入力であり且つモノクロ出力であると判定された場合であり、前記入力した画像に色文字が含まれていると判定された場合、前記文字強調処理を実行した場合に効果があると判定することを特徴とする請求項１に記載の画像処理装置。
【請求項１０】
前記画像処理とは、文字強調処理であり、
前記文字強調処理を実行した場合に効果があると判定されると、
前記表示手段に、前記入力された画像のうち色文字と判定された画像に対して強調処理を施した場合の画像を表示させることを特徴とする請求項１に記載の画像処理装置。
【請求項１１】
前記画像処理とは、パンチ穴除去処理であり、
前記判定手段は、前記入力された画像にパンチ穴があると判定すると、前記パンチ穴除去を実行した場合に効果があると判定することを特徴とする請求項１に記載の画像処理装置。
【請求項１２】
前記画像処理とは、ＢＯＯＫ枠消し処理であり、
前記判定手段は、前記入力された画像の中心または端に閾値以上の面積を有する黒色画像があると判定すると、前記パンチ穴除去を実行した場合に前記入力した画像の出力結果に効果があると判定することを特徴とする請求項１に記載の画像処理装置。
【請求項１３】
前記入力手段により入力した画像の解析結果と、前記受信手段により受信された設定の内容により、実行した場合に効果があると判定された画像処理の実行を、クラウドサービスサーバーによって、実行することを特徴とする請求項１に記載の画像処理装置。
【請求項１４】
入力した画像を出力する場合の設定を受信する受信ステップと、
前記受信ステップにて受信した設定で画像を入力する入力ステップと、
前記入力ステップにて入力した画像の解析結果と前記受信ステップにて受信した設定の内容により、前記入力された画像に対して画像処理を実行して出力する場合に効果があるか否か判定する判定ステップと、
前記判定ステップにて効果があると判定された前記画像処理を表示させる表示ステップとを有することを特徴とする画像処理装置の制御方法。
【請求項１５】
前記表示ステップにて表示された画像処理を実行するよう指示を受けると、
前記入力ステップにて入力された画像に対して前記表示ステップにて表示された画像処理が実行された画像を出力することを特徴とする請求項１４に記載の画像処理装置の制御方法。
【請求項１６】
前記受信ステップにて受信した設定を用いて前記入力ステップにて入力された画像を出力する前に、前記表示ステップにて前記画像処理を表示させることを特徴とする請求項１４に記載の画像処理装置の制御方法。
【請求項１７】
前記受信ステップにて受信した設定を用いて、前記入力ステップにて入力された画像を出力する際に、前記表示ステップにて前記画像処理を表示させることを特徴とする請求項１４に記載の画像処理装置の制御方法。
【請求項１８】
前記画像処理とは、白紙スキップ処理であり、
前記判定ステップは、前記入力ステップにて入力された画像を解析して得られた前記入力された画像の枚数と前記入力ステップにて入力された設定の内容とを取得し、前記白紙スキップ処理を実行することにより削減される出力用紙枚数を取得することで、前記白紙スキップを実行した場合に効果があるか否か判定することを特徴とする請求項１４に記載の画像処理装置の制御方法。
【請求項１９】
前記画像処理とは、白紙スキップ処理であり、
前記判定ステップにて、前記白紙スキップ処理を実行した場合に効果があると判定されると、前記表示ステップにて、前記入力された画像のうち白紙と判定された画像と削減される出力用紙枚数とを表示させることを特徴とする請求項１４に記載の画像処理装置の制御方法。
【請求項２０】
前記表示ステップにて表示させる前記入力された画像のうち、白紙と判定された画像に対して、前記白紙スキップ処理を実行するか否か指示する指示ステップを有する請求項１９に記載の画像処理装置の制御方法。
【請求項２１】
前記画像処理とは、文字強調処理であり、
前記判定ステップにて、前記受信ステップにより受信した設定の内容がモノクロ入力及び／またはカラー出力であると判定された場合は、前記文字強調処理を実行した場合に効果がないと判定することを特徴とする請求項１４に記載の画像処理装置の制御方法。
【請求項２２】
前記画像処理とは、文字強調処理であり、
前記判定ステップにて、前記前記受信ステップにより受信した設定の内容がカラー入力であり且つモノクロ出力であると判定された場合であり、前記入力した画像に色文字が含まれていると判定された場合、前記文字強調処理を実行した場合に効果があると判定することを特徴とする請求項１４に記載の画像処理装置の制御方法。
【請求項２３】
前記画像処理とは、文字強調処理であり、
前記文字強調処理を実行した場合に効果があると判定されると、
前記表示ステップにて、前記入力された画像のうち色文字と判定された画像に対して強調処理を施した場合の画像を表示させることを特徴とする請求項１４に記載の画像処理装置の制御方法。
【請求項２４】
前記画像処理とは、パンチ穴除去処理であり、
前記判定ステップは、前記入力された画像にパンチ穴があると判定すると、前記パンチ穴除去を実行した場合に効果があると判定することを特徴とする請求項１４に記載の画像処理装置の制御方法。
【請求項２５】
前記画像処理とは、ＢＯＯＫ枠消し処理であり、
前記判定ステップは、前記入力された画像の中心または端に閾値以上の面積を有する黒色画像があると判定すると、前記パンチ穴除去を実行した場合に前記入力した画像の出力結果に効果があると判定することを特徴とする請求項１４に記載の画像処理装置の制御方法。
【請求項２６】
前記入力ステップにより入力した画像の解析結果と、前記受信ステップにより受信された設定の内容により、実行した場合に効果があると判定された画像処理の実行を、クラウドサービスサーバーによって、実行することを特徴とする請求項１４に記載の画像処理装置の制御方法。
【請求項２７】
コンピュータに
入力した画像を出力する場合の設定を受信する受信ステップと、
前記受信ステップにて受信した設定で画像を入力する入力ステップと、
前記入力ステップにて入力した画像の解析結果と前記受信ステップにて受信した設定の内容により、前記入力された画像に対して画像処理を実行して出力する場合に効果があるか否か判定する判定ステップと、
前記判定ステップにて効果があると判定された前記画像処理を表示させる表示ステップとを実行させるためのプログラム。
【発明の詳細な説明】
【技術分野】
【０００１】
本発明は、画像処理装置を使用するユーザーに対して提供できる処理をお勧めする処理に関する。
【背景技術】
【０００２】
近年、電子写真装置やプリンタ等にて提供される機能・サービスの充実に加え、デバイスを介してクラウド上で行われる機能・サービスの増加など、ユーザーに提供される機能・サービスは飛躍的に増加している。しかしながら、多くのユーザーは提供される機能やサービスのうち、ごく一部しか使用していない場合がある。それは、様々な理由が考えられるが、新しく追加された機能に気付かないということ考えられる。
【０００３】
また、別の理由として、ユーザーはボタンの名称でその機能の効果をある程度分かるものの、その機能が適用される条件や用途、実際に機能を適用した時に得られる効果が詳しくわからないなどが考えられる。
【０００４】
上記問題に対して、従来の画像処理装置では、ユーザーから白紙スキップの指示を受けていなくても、原稿をコピーする時、読み取った原稿が白紙であるか否かの判定を常に行う。そして、原稿が白紙であると判定すると、その旨を表示し、白紙をコピーしないか否か（白紙スキップをするか否か）をユーザーに選択させる。これにより、コピー開始時にユーザーが白紙スキップの実行を指示しなくても、処理対象である画像データに対して白紙スキップを実行するという方法がある（特許文献１）。
【先行技術文献】
【特許文献】
【０００５】
【特許文献１】特開２００８−２２２７６
【発明の概要】
【発明が解決しようとする課題】
【０００６】
しかしながら、上記のように読み取る画像を常に判定し白紙スキップを実行すると、この白紙スキップを実行することで得られた結果と、ユーザーが出力物（出力結果）に対して求める効果との間にずれが生じる場合がある。
【０００７】
例えば、ユーザーが処理対象の画像に対して２ｉｎ１や両面の設定でコピーの開始を指示した場合、この原稿に対してユーザーから指示を受けていない白紙スキップを実行しても、出力物の枚数が減らない。つまり、出力物に対して白紙スキップの効果を得られない場合がある。そのため、用紙の枚数が減らず白紙スキップ処理の効果が得られないのにも関わらず、ページ構成が変わってしまう。
【課題を解決するための手段】
【０００８】
そこで上記課題を解決すべく、本発明の画像処理装置は、入力した画像を出力する場合の設定を受信する受信手段と、前記受信手段により受信した設定で画像を入力する入力手段と、前記入力手段により入力した画像の解析結果と前記受信手段により受信した設定の内容により、前記入力された画像に対して画像処理を実行して出力する場合に効果があるか否か判定する判定手段と、前記判定手段により効果があると判定された前記画像処理を表示させる表示手段とを有することを特徴とする。
【発明の効果】
【０００９】
本発明によれば、入力した画像を出力する場合の設定の内容と、処理対象画像の解析結果とを用いて、入力された画像に対して画像処理を実行した場合に効果が得られるか否か判断をする。画像処理を実行して効果が得られると判断された場合、その画像処理を実行するようユーザーに提案することが可能になる。
【００１０】
これにより、効果がある場合のみ、ユーザーに対して画像処理の実行を提案することができる。よって、ユーザーは、その機能が適用される条件や用途、実際に機能を適用した時に得られる効果が詳しくわからなくても、処理対象の画像に対して効果的な画像処理を実行することができる。
【図面の簡単な説明】
【００１１】
【図１】システムの全体図である。
【図２】画像処理装置１０１のハードウェア構成を示すブロック図である。
【図３】クラウドサービスサーバー１３１のハードウェア構成を示すブロック図である。
【図４】画像処理装置１０１のソフトウェア構成を示す図である。
【図５】クラウドサービスサーバー１３１のソフトウェア構成を示す図である。
【図６】第１の実施形態の一連の処理を実行する動作説明するシーケンス図である。
【図７】第２の実施形態の一連の処理を実行する動作説明するシーケンス図である。
【図８】第３実施形態を説明するフローチャートである。
【図９】（Ａ）画像処理部４０２内の構成を示すブロック図である。  （Ｂ）お勧め処理４０２＿２内の構成を示すブロック図である。  （Ｃ）画像判定部４０３内の構成を示すブロック図である。  （Ｄ）効果判定部４０４内の構成を示すブロック図である。
【図１０】白紙スキップが効果あるか否かを判定する効果判定部４０４＿３のフローチャートである。
【図１１】文字強調が効果あるか否かを判定する効果判定部４０４＿３のフローチャートである。
【図１２】文字強調が効果あるか否かを判定する際に、設定値から効果判定を行うフローチャートである。
【図１３】第４実施形態を説明するフローチャートである。
【図１４】第１の実施形態において白紙スキップの効果を示す文言と実施するか否かを選択させるＵＩである。
【図１５】第１の実施形態において白紙スキップの効果を示すＵＩである。
【図１６】第３の実施形態において文字強調の効果を示す文言と実施するか否かを選択させるＵＩである。
【図１７】第３の実施形態において文字強調の効果を示すＵＩである。
【発明を実施するための形態】
【００１２】
（実施形態１）
以下、本発明を実施するための形態について図面を用いて説明する。以下の実施形態は特許請求の範囲に係る発明を限定するものでなく、また実施形態で説明されている特徴の組み合わせの全てが発明の解決手段に必須のものとは限らない
第１の実施形態では、画像処理装置１０１が入力された処理対象画像の解析結果と、処理対象画像を入力、出力するときの設定値から、処理対象画像に対し白紙スキップ処理を実行した場合、処理対象画像の出力結果に対して効果が得られるか否かを判定する。そして、効果が得られると判定された時だけ白紙スキップ処理の実行をユーザーにお勧めする場合について説明を行う。
【００１３】
《システム全体構成》
図１は、本実施形態におけるシステムの全体図である。ＬＡＮ１１０には、画像処理装置１０１および端末１０２が接続されている。また、ＬＡＮ１１０はインターネット１２０に接続されており、サービス提供しているクラウドサービスサーバー１３１もインターネット１２０経由で接続されている。ここでは、端末１０２はＬＡＮ１１０に接続されているが、その限りではない。端末１０２はクラウドサービスサーバー１３１に接続可能であればよい。
【００１４】
《ハードウェア構成例−画像処理装置》
図２は、画像処理装置１０１のハードウェア構成を示すブロック図である。ＣＰＵ２１１を含む制御部２１０は、画像処理装置１０１全体の動作を制御する。ＣＰＵ２１１は、ＲＯＭ２１２に記憶された制御プログラムを読み出して読取制御や送信制御などの各種制御を行う。ＲＡＭ２１３は、ＣＰＵ２１１の主メモリ、ワークエリア等の一時記憶領域として用いられる。
【００１５】
ＨＤＤ２１４は、画像データや各種プログラム、或いは各種情報テーブルを記憶する。操作部Ｉ／Ｆ２１５は、操作部２１９と制御部２１０とを接続する。操作部２１９には、タッチパネル機能を有する液晶表示部やキーボードまたは、カード等でユーザー認証を行う場合、ユーザー認証を受け付けるユーザー認証部などが備えられている。
【００１６】
プリンタＩ／Ｆ２１６は、プリンタ２２０と制御部２１０とを接続する。プリンタ２２０で印刷すべき画像データはプリンタＩ／Ｆ２１６を介して制御部２１０から転送され、プリンタ２２０において記録媒体上に印刷される。
【００１７】
スキャナＩ／Ｆ２１７は、スキャナ２２１と制御部２１０とを接続する。スキャナ２２１は、原稿上の画像を読み取って画像データを生成し、スキャナＩ／Ｆ２１７を介して制御部２１０に入力する。
【００１８】
ネットワークＩ／Ｆ２１８は、制御部２１０（画像処理装置１０１）をＬＡＮ１１０に接続する。ネットワークＩ／Ｆ２１８は、ＬＡＮ１１０上の外部装置（例えば、クラウドサービスサーバー１３１）に画像データや情報を送信したり、ＬＡＮ１１０上の外部装置から各種情報を受信する。
【００１９】
《ソフトウェア構成例−画像処理装置》
図４は画像処理装置１０１のソフトウェア構成を説明するための図である。図４に示す各機能部は、画像処理装置１０１のそれぞれが有しているＣＰＵ２１１が制御プログラムを実行することにより実現される。
【００２０】
画像処理装置１０１は、画面表示部４００、画像受信部４０１、画像処理部４０２、画像判定部４０３、効果判定部４０４、設定値管理部４０５、画像出力部４０６、ユーザー認証部４０７、認証情報管理部４０８、認証情報データベース４０９を有す。また、通信部４１０を有する。なお、以下では、認証情報データベース４０９を認証情報ＤＢ４０９と略記する。
【００２１】
以下、各機能の説明を行う。
【００２２】
画面表示部４００は、ユーザーに対する設定値の表示や、ユーザーからの設定の受け付け等を行う。画像受信部４０１は入力画像を受信する。例えば、スキャナ２２１から入力された画像をコピーする場合は、スキャンした画像を受信し、ＰＣなどの端末１０２からプリントされる場合は、ＰＤＬ言語等を受信する。
【００２３】
画像処理部４０２は、受信した画像に対してさまざまな画像処理を行う。例えば、コピーの場合は、ＭＴＦ補正、色変換や像域判定などが行われ、プリントの場合は、ＰＤＬ言語を解釈しビットマップに変換する処理や色変換処理などが行われる。さらに、後述する効果判定部４０４の判定の結果によっては、白紙スキップ等のお勧め処理を行う。そして、コピー、プリントいずれの場合でもガンマ補正やディザ処理を行う。
【００２４】
画像判定部４０３は、お勧め処理４を処理対象画像に対して実行した場合、出力結果に対して効果が得られるか否かを入力画像１枚ごとに判定する。ここでは、ユーザーは処理対象画像に対して処理の実行を指示する際、お勧め処理を設定していないものとする。
【００２５】
効果判定部４０４は、ユーザーが設定した設定値と、前記画像判定部で判定した結果から、お勧め処理を処理対象画像に対して実行した場合、出力結果に対して効果があるか否かを判定する。
【００２６】
設定値管理部４０５は、ユーザーが直接入力した設定値や、後述するユーザーの認証情報ＤＢ４０９によって設定される設定値を管理する。ここで、設定値とは、入力条件や出力条件のことである。例えば、スキャナを用いて画像を入力する場合、入力条件は解像度の指定や、スキャナのカラー読み（入力）・モノクロ読み（入力）、ＡＤＦにおける両面読みなどの指定である。また、出力条件は、カラー出力・モノクロ出力などの指定や、２ｉｎ１の設定や両面出力などの指定である。
【００２７】
画像出力部４０６は、画像を出力する手段を指し、プリント物を出力する。
【００２８】
ユーザー認証部４０７は、ユーザー認証を行う。例えば、認証カードによる認証やＩＤやパスワードを入力する形式などである。
【００２９】
認証情報管理部４０８は、ユーザー認証部４０７において認証した認証情報を管理する。
【００３０】
認証情報ＤＢ４０９は、認証情報管理部４０８の指示に応じてユーザー認証情報の更新を行う。また、このデータベースには、ユーザー情報だけではなくユーザーが過去に行った設定値等が格納されている。
【００３１】
通信部４１０は、外部のＰＣ端末１０２やクラウドサービスサーバー１３１への通信を行う。ここでは。画像の送信や設定値などの通知を行う。
【００３２】
以下、図６を用いて本実施形態のシーケンスについて説明を行う。
【００３３】
ここでは、入力画像である処理対象画像の解析結果と、処理対象画像に対する設定値の内容から、処理対象画像に対してお勧め処理を実行した場合、効果が得られるか否かを判定する。効果が得られると判定されれば、ユーザーにお勧め処理の実行を勧め、効果がないと判定されればお勧め処理の実行勧めないで、処理対象画像を出力するというシーケンスについて説明を行う。また、お勧め処理の処理内容については後で説明を加えるが、白紙スキップ、文字強調、パンチ穴除去、ＢＯＯＫ枠消し等の処理があげられる。また、図６の説明では、お勧め処理を白紙スキップに限定して説明を行う。
【００３４】
ステップＳ６０１において、ユーザー認証部４０７は、ユーザー認証を行う。
【００３５】
次にステップＳ６０２において、ユーザー認証部４０７は、認証情報を認証情報管理部４０８に通知する。
【００３６】
ステップＳ６０２にて、認証情報が通知されると、ステップＳ６０３において、認証情報管理部４０８は、認証情報ＤＢ４０９と照らし合わせる。その結果、ユーザーに画像処理装置１０１の使用許可があるか否かを判別し、使用許可があれば、認証情報ＤＢ４０９に格納されている設定値などを取得する。
【００３７】
ステップＳ６０３で認証情報が通知されると、ステップＳ６０４において、認証情報管理部４０８は、設定値を設定値管理部４０５へ通知する。
【００３８】
ステップＳ６０４の通知を受け、ステップＳ６０５において、設定値管理部４０５は、ステップＳ６０４で通知された設定値を登録する。
【００３９】
ステップＳ６０５で認証値の登録がされると、ステップＳ６０６において、設定値管理部４０５は、ステップＳ６０５で登録した設定値を画面表示部４００に通知する。
【００４０】
ステップＳ６０６で設定値の通知を受けると、ステップＳ６０７において、画面表示部４００は、ステップＳ６０６において通知された設定値を表示する。
【００４１】
ステップＳ６０７で表示された画面を介して、ステップＳ６０８において、画面表示部４００は、ユーザーから新たに設定された設定値を受け付ける。
【００４２】
ステップＳ６０８で入力された設定値を受けると、ステップＳ６０９において、画面表示部４００は、ステップＳ６０８においてユーザーに新たに設定された設定値および認証情報ＤＢ４０９に格納されている設定値を表示する。
【００４３】
そして、ステップＳ６１０において、画面表示部４００は、ステップＳ６０９において表示した設定値を設定値管理部４０５へ通知する。
【００４４】
次に、ステップＳ６１１において、設定値管理部４０５は、ステップ６１０で通知された設定値を登録する。
【００４５】
ステップＳ６１１で、設定値が登録されると、ステップＳ６１２において、設定値管理部４０５は、ユーザーが直接入力した設定値や、後述するユーザーの認証情報ＤＢ４０９によって設定される設定値を画像処理部４０２と効果判定部４０４へ通知する。
【００４６】
また、ステップＳ６１３において、画像処理部４０２は、ステップＳ６１２で通知された設定値を登録する。
【００４７】
また、ステップＳ６１４において、効果判定部４０４は、ステップＳ６１２で通知された設定値を登録する。
【００４８】
次に、ステップＳ６１５において、画面表示部４００は、ユーザーからの開始指示を受け付ける。ここで、開始指示とは、コピーの開始や、セキュアプリントやどこでもプリントのようにＰＣ等の端末１０２からのプリントジョブを、画像処理装置１０１上のボタンで開始することなどをさす。また、ここでセキュアプリントとは、ＰＣ等の端末１０２からのプリントジョブを画像処理装置１０１内に格納し、ユーザーが画像処理装置１０１に来てからプリントを開始することである。この方法は、他のユーザーにプリント物を見られたり取られたりしないための方法である。また、どこでもプリントとは、ＰＣ等の端末１０２からのプリントジョブをクラウドサービスサーバー１３１内などの外部サーバーに格納することで、ユーザーは好きな画像処理装置１０１からプリントを実行することができる方法である。本実施形態では、コピーにおいて述べるが上記プリント方法でも同様なことができる。
【００４９】
ステップＳ６１５で開始指示を受けると、ステップＳ６１６において、画面表示部４００は、ステップＳ６１５において受け付けた開始指示を画像受信部４０１に通知する。ここでは、ＡＤＦなどで複数枚以上の入力画像を受信することを想定している。
【００５０】
次にステップＳ６１７において、画像受信部４０１は、処理対象画像を受信する。例えば、ＡＤＦなどで複数部画像を受信する。
【００５１】
ステップＳ６１７で画像を受信すると、ステップＳ６１８において、画像受信部４０１は、画像処理部４０２へ受信した処理対象画像である入力画像を送信する。
【００５２】
ステップＳ６１８で送信された画像は、ステップＳ６１９において、画像処理部４０２にて、ステップＳ６１３にて登録した設定値をもとに画像処理の実行を行う。ここで画像処理部４０２については後で詳細を述べるが、ここでは画像処理のうち画像前処理を実行する。
【００５３】
次にステップＳ６２０にて、画像処理部４０２は、ステップＳ６１９にて処理された画像を画像判定部４０３へ送信する。
【００５４】
ステップＳ６２１にて画像判定部４０３は、ステップＳ６２０で送信された画像に対し、ユーザーから実行指示されていないお勧め処理を施す。
【００５５】
ここで本実施例では、お勧め処理として白紙判定を行い、処理対象画像である入力画像が白紙であるか否かを判定する。ここで、画像判定部４０３での処理については後述する。
【００５６】
次にステップＳ６２２にて、画像判定部４０３は、処理対象画像に対してお勧め処理を行った結果を効果判定部４０４に通知する。ここでは、処理対象画像である入力画像１枚ごとに白紙であるか否かの結果を効果判定部４０４に通知する。
【００５７】
そして、ステップＳ６２３において、効果判定部４０４は、ステップＳ６２２で受け取った結果を登録する。
【００５８】
すると、ステップＳ６２４において、効果判定部４０４は、ステップＳ６１２で通知された設定値の内容とステップＳ６２２で通知された判定結果を解析し、入力画像に対してお勧め処理を施した場合、効果があるか否かを判定する。ここでは、入力された全ての画像に対して白紙であるか否か判定した結果と、ステップＳ６１４にて登録された設定値の内容に応じて白紙スキップ行った時に用紙の削減効果があるか否かを判定する。ここで、効果判定部４０４については、後で詳細に述べる。また、効果判定部４０４は、お勧め処理の実行に効果がある場合には次にステップＳ６２５へ進み、効果がない時はステップＳ６２５＿１へ進む。
【００５９】
ステップＳ６２５では、効果判定部４０４は、画面表示部４００へ効果がある旨を通知する。
【００６０】
一方、ステップＳ６２５＿１では、効果判定部４０４は、効果がない旨を画像処理部４０２へ通知する。この時、ステップＳ６２６からステップＳ６３１は実行されない。
【００６１】
以下、効果がある場合についてのシーケンスについてステップＳ６２６からステップＳ６３１にかけて説明を行う。
【００６２】
ステップＳ６２６において、画面表示部４００は、お勧め処理を実行した場合、出力物に対して効果が得られる旨を表示し、このお勧め処理を実行するか否かを示す選択ボタンを表示する。ここでの表示方法については後述する。
【００６３】
ステップＳ６２６の画面表示部４００に表示される画面を介して、ステップＳ６２７において、画面表示部４００は、ユーザーからの選択を受け付ける。
【００６４】
ステップＳ６２７で選択を受け付けると、ステップＳ６２８において、画面表示部４００は、お勧め処理の内容を設定値管理部４０５に通知する。
【００６５】
ステップＳ６２８の通知を受けると、ステップＳ６２９において、設定値管理部４０５は、処理対象画像である入力画像に対してお勧め処理を含む画像処理内容を施すため、設定値を更新し登録する。ここで、認証情報ＤＢ４０９を更新してもよい。
【００６６】
すると、ステップＳ６３０において、設定値管理部４０５は、ステップＳ６２９にて登録された設定値を画像処理部４０２へ通知する。
【００６７】
ステップＳ６３０で設定値を通知されると、ステップＳ６３１において、画像処理部４０２は、お勧め処理を実施する。ここで本実施例では、画像処理部４０２は、白紙スキップを処理対象画像に対して実施する。なお、判定結果はステップＳ６２１で取得した結果を用いてもよい。
【００６８】
以上、ステップＳ６２４の判定結果で画像に対して処理を施す効果があると判定された場合について説明を行ったが、以下の処理は、効果がある場合でもない場合でも行う。
【００６９】
ステップＳ６３２において、画像処理部４０２は、画像処理を行う。ここでは、ガンマ処理やディザ処理などが行われる。
【００７０】
ステップＳ６３２で画像処理を施された画像に対し、ステップＳ６３３において、画像処理部４０２が、画像を画像出力部４０６へ送信する。
【００７１】
ステップＳ６３３で画像処理部４０２から送信された画像は、ステップＳ６３４において、画像出力部４０６から、出力される。
【００７２】
まず、画像処理部４０２について図９（Ａ）を用いて説明を加える。
画像処理部４０２は、画像前処理部４０２＿１、お勧め処理部４０２＿２、画像後処理部４０２＿３からなる。
【００７３】
まず、画像前処理部４０２＿１は、スキャナ２２１から入力される画像に対しては、色変換、ＭＴＦ補正、像域判定などの処理を行い、ＰＣなど端末１０２から入力されるプリント対しては、ＰＤＬデータのビットマップ化や、色変換等を行う。
【００７４】
次に、お勧め処理部４０２＿２では、ユーザーが直接設定をしていないが、特定の条件のもと実施した場合、効果がある処理を実行する。例えば、お勧め処理は図９（Ｂ）に示すように白紙スキップ処理、文字強調処理、パンチ穴除去処理、ＢＯＯＫ枠消し処理等があげられる。
【００７５】
以下、それぞれの処理の内容について簡単に述べる。白紙スキップ処理は、入力画像が白紙であれば、その入力画像を読み取ったデータに対して保存せず（印刷指示をせず）、その分、次のページを詰める。これにより、入力画像を印刷する際に余分な紙出力を減らすことができるという効果がある。
【００７６】
また、文字強調処理は、もともとカラー画像であったものをモノクロ出力すると、もともとカラーで書かれた文字が薄くなる場合があるため、カラー画像にてカラーであった文字をモノクロ出力時に太くしたり、網掛け文字にする。これにより、カラーで出力されていた部分がモノクロ出力される場合、文字が薄くなることを防ぎ、目立った文字にできるという効果がある。また、パンチ穴除去処理は、入力画像にパンチ穴があった場合、その箇所を周りの色で埋める処理である。これにより、入力画像のパンチ穴が埋まり、パンチ穴の跡が目立たない出力物を得ることができる。さらに、ＢＯＯＫ枠消し処理を行うと、本を開いてコピーした時、本を綴じている箇所がスキャナ２２１から浮くことで出力する際に黒くコピーされるのを防ぐことができる効果がある。そして、上記お勧め処理部４０２＿２によって実行され効果がある処理の決定方法は、以下で述べる画像判定部４０３と、効果判定部４０４から行われる。
【００７７】
そして、画像後処理部４０２＿３では、色変換やガンマ補正、ディザ処理などの処理が行われる。
【００７８】
以上、画像処理部４０２の画像前処理部４０２＿１、お勧め処理部４０２＿２、画像後処理部４０２＿３について説明を行った。
【００７９】
ここで、図９（Ａ）に示す画像処理部４０２は、図６に示したシーケンス中の６１９では画像前処理部による処理４０２＿１を行う。そして、６２１ではお勧め処理部４０２＿２により白紙スキップを行う。最後に、６２２では画像後処理部４０２＿３による処理を行う。
【００８０】
次に、画像判定部４０３について図９（Ｃ）を用いて説明を加える。
【００８１】
画像判定部４０３は、白紙判定部４０３＿１、色文字判定部４０３＿２、パンチ穴判定部４０３＿３、ＢＯＯＫ枠判定部４０３＿４からなる。
【００８２】
白紙判定部４０３＿１は、原稿を読み取った画像が白紙であるか否かを判定し、その結果を効果判定部４０４へ通知する。色文字判定部４０３＿２は、読み取った画像に色文字があるか否かを判定し、その結果を効果判定部４０４へ通知する。パンチ穴判定部４０３＿３は、読み取った画像にパンチ穴があるか否かを判定し、その結果を効果判定部４０４へ通知する。ＢＯＯＫ枠判定部４０３＿４は、入力画像の中心または端付近にある閾値以上の面積を有する黒色画像があるか否か判定し、その結果を効果判定部４０４へ通知する。ここで、図９（Ｃ）に示すが画像判定部４０３は、図６ではお勧め処理を白紙スキップのみを実行することにしているので、シーケンスの６２１で、白紙判定部４０３＿１によって白紙判定を行う。
【００８３】
そして、効果判定部４０４について図９（Ｄ）を用いて説明を加える。
【００８４】
効果判定部４０４は、設定値管理部４０４＿１、画像判定結果管理部４０４＿２、効果判定部４０４＿３からなる。そして、設定値管理部４０４＿１は、設定値管理部４０５から設定値を受け付け、登録を行う。また、画像判定結果管理部４０４＿２は、画像判定部４０３からの判定結果を受け付け、登録を行う。最後に、効果判定部４０４＿３は、設定値管理部４０４＿１から設定値と、画像判定結果管理部４０４＿２から判定結果とを参照して、効果があるか否かを判定し、効果がなければ画像処理部４０２に通知する。一方で、効果があれば画面表示部４００へ通知する。
【００８５】
ここで、白紙スキップの効果判定における効果判定部４０４内の効果判定部４０４＿３についてのフローを、図１０を用いて説明する。
【００８６】
本フローチャートの各ステップは不図示の制御プログラムは画像処理装置１０１の不図示の記憶装置に格納されており、ＲＡＭ２１３にロードされて、ＣＰＵ２１１によって実行されるものである。
【００８７】
まず、Ｓｔｅｐ１００１では、効果判定部４０４＿３は、画像判定部４０３から入力画像が何枚の用紙で構成されているのかを示す総枚数を取得する。ここでは、画像受信部４０１から直接、総枚数を取得してもよい。
【００８８】
次に、Ｓｔｅｐ１００２では、効果判定部４０４＿３は、６１４にて設定値管理部４０４＿１が登録した、入力画像を入力し、出力する場合の設定値を取得する。
【００８９】
Ｓｔｅｐ１００３では、Ｓｔｅｐ１００１とＳｔｅｐ１００２で得た値を用いて効果判定部４０４＿３が、白紙スキップを実行する場合、効果として出力時に何枚の用紙を削減できるか判定する。例えば、Ｓｔｅｐ１００１から入力画像の枚数が１２０枚であることを取得し、Ｓｔｅｐ１００２から、出力の設定値が、Ａ４・２ｉｎ１・両面の設定という情報を取得する。すると、出力されるＡ４用紙１枚に対し、４枚入力画像が割り当てられる。そのため、白紙と判定される枚数が４枚以上の時、出力されるＡ４用紙を減らすことができる。このように、白紙スキップを実施した効果として削減される出力用紙枚数を判定する。
【００９０】
次に、Ｓｔｅｐ１００４では、効果判定部４０４＿３が、ステップＳ６２３にて画像判定結果管理部４０４＿２が登録した白紙と判定された結果から白紙の枚数を取得する。
【００９１】
Ｓｔｅｐ１００５では、Ｓｔｅｐ１００３で求めた枚数とＳｔｅｐ１００４で取得した枚数を比較することで効果があるか否かを判定する。例えば、Ｓｔｅｐ１００３において、白紙スキップを実行すると、効果として削減できる用紙の枚数が４枚以上であると判定され、Ｓｔｅｐ１００４にて白紙判定された枚数が１２枚と判定されるとする。すると、１２／４＝３で３枚の用紙削減効果があると判定される。
【００９２】
ここでは、１枚以上削減効果があれば効果があると判定して、効果が無いと判定されればＳｔｅｐ１００６へ進み、効果があると判定されればＳｔｅｐ１００７へ進む。
【００９３】
Ｓｔｅｐ１００６では、効果がないと判定し、画像処理部４０２へその旨を通知する。これにより、お勧め処理４０２＿２を行わずに、画像後処理４０２＿３を行う。
【００９４】
Ｓｔｅｐ１００７では、画面表示部４００へ通知する。そして、画面表示部４００は、ユーザーに対してお勧め処理４０２＿２の効果を表示し、お勧め処理４０２＿２を行うか否かの選択を促す表示を行う。
【００９５】
次に、画面表示部４００が行う、お勧め処理４０２＿２の効果の表示方法やお勧め処理を行うか否かの選択を促す表示方法について説明を行う。
【００９６】
お勧め処理の効果の表示方法は、白紙スキップの場合、例として、図１４の１４０１に示すように、白紙判定枚数と削減枚数を表示する。また、お勧め処理を行うか否かを指定するボタン１４０２、１４０３を備える。１４０２は、白紙スキップを行うボタンであり、１４０３は、白紙スキップを行わないボタンである。これにより、ユーザーは白紙スキップを行うか否かを選択することができる。さらに、白紙と判定した原稿をプレビューするボタン１４０４を備えることでユーザーは白紙スキップ実行による効果を確認することができる。さらに、白紙判定を覆し、その結果を踏まえて再度効果を取得し直して表示してもよい。例えば、図１５にボタン１４０４を押した時のＵＩ表示１５００を示すと、１５０１、１５０２、・・・１５０６にあるように、白紙と判定された画像のプレビューができる。そして、１５０１を押すと１５０１の画像は白紙スキップをキャンセルすることができる。
【００９７】
以上により、ユーザーが入力した処理対象画像の解析結果と、処理対象画像に対する設定（入力設定と出力設定）の内容とから、ユーザーが処理対象画像に対して実行指定しなかった画像処理を実行した場合、画像処理による効果があるか否かを判定する。
【００９８】
これにより、効果がある場合のみ、ユーザーに対して画像処理の実行を提案することができる。よって、ユーザーは、その機能が適用される条件や用途、実際に機能を適用した時に得られる効果が詳しくわからなくても、処理対象の画像に対して効果的な画像処理を実行することができる。
【００９９】
また、本実施形態では、効果があると判定された処理を実際に行うか否かをユーザーが決定できる。ここで、一度ユーザーが処理を実施するよう決定すると、認証情報ＤＢ４０９にその旨を更新させ、次回の処理以降はユーザーに設定されなくても効果があると判定された画像処理を行ってもよい。これにより、ユーザーに対し利便性を向上させることができる。
【０１００】
また、お勧め処理による効果があるか否か判断してお勧め処理を通知する処理を、実行するか否か選択できてもよい。
【０１０１】
また、本実施形態では、お勧め処理として白紙スキップを実行したが、これ以外に文字は強調、パンチ穴除去、ＢＯＯＫ枠消しなどの複数のお勧め処理についても効果の判定を行い、効果があると判定された処理については、お勧めするための表示を行ってもよい。
【０１０２】
（実施形態２）
実施形態１において、ユーザーは、白紙スキップの場合、効果を判定するために入力画像全てに対する判定結果を待たなくてはならなかった。そのため、プリンタ２２０の出力スピードとスキャナ２２１の読み込みスピードの関係によっては、通常よりもプリントスピードが遅くなる可能性がある。
【０１０３】
そこで、実施形態２では、入力画像に対してお勧め処理を行わず出力を行い、出力後にお勧め処理を提示する。これにより、次回の処理以降、ユーザーが、お勧め処理を使用することを促す方法について説明を行う。
【０１０４】
実施形態２では、実施形態１で説明した図６の６２１、６２２、６２３、６２４のタイミングや処理が異なるため図７を用いて、図６とは異なる部分に対して説明を行う。
【０１０５】
以下、図７を用いて本実施形態のシーケンスについて説明を行う。ステップＳ６０１からステップＳ６２０までは省略する。まず、ステップＳ７０１において、画像処理部４０２は、ステップＳ６２１からステップＳ６２４において画像判定部４０３や効果判定部４０４が効果を判定している間、画像後処理４０２＿３を行う。
【０１０６】
その後、ステップＳ７０２において、画像処理部４０２は、処理後の画像を画像出力部４０６へ送信する。
【０１０７】
そして、ステップＳ７０３において、画像出力部４０６は、画像を出力する。
【０１０８】
一方で、ステップＳ６２４において効果判定部４０４が、効果があると判定した場合、ステップＳ６２５にて、画面表示部４００に効果を通知し、ステップＳ６２６からステップＳ６２９のステップまで実施形態１と同様の処理を行う。しかし、ステップＳ６２４において効果判定部４０４が、効果がないと判定した場合、効果判定部４０４は、なにも行わず終了する。すなわち、ステップＳ６２６からステップＳ６２９、および、以下のステップＳ７０４，７０５の処理は行われない。
【０１０９】
そして、ステップＳ７０４において、設定値管理部４０５は、認証情報管理部４０８に設定値の通知を行う。
【０１１０】
そして、ステップＳ７０５において、認証情報管理部４０８は、設定値を登録する。
【０１１１】
以上、処理対象の入力画像が出力されると同時に、次回の処理以降においてお勧め処理を行うか否かの設定をユーザーに対して表示する実施形態について説明を行った。これにより、ユーザーは、プリントするスピードを落とさずにお勧め処理の効果やお勧め処理が有効な条件や設定を知ることができる。それでも、出力時に効果判定部４０４による判定が間にい合わない時などは、ユーザーが次回の処理以降、画像処理装置１０１にユーザー認証を行った時に前回の結果を表示して、お勧め処理を紹介してもよい。
【０１１２】
以上により、お勧め処理の効果を判定するのに時間がかかる場合でも、プリントするスピードを落とさずにユーザーにお勧め処理を知らせることができる。また、認証情報にお勧め処理を設定することで、ユーザーは、次回の処理以降でお勧め処理が有効な条件や設定を気にしなくても、効果があると判定された場合のみ自動でお勧め処理が実行されるようになる。
【０１１３】
（実施形態３）
以上、実施形態１，２ではお勧め処理のうち、白紙スキップを中心に述べた。本実施形態では文字強調をお勧めする場合について説明を行う。本実施形態においても実施形態２と同様に実施形態１と同じ構成、処理、シーケンスのものは説明を省略する。
【０１１４】
文字強調とは、カラー文字をモノクロ出力した際に薄くなるため、カラー文字を判定し、太く強調して出力する処理である。そのため、カラー出力する時は、効果がない。したがって、文字強調では、白紙スキップとは異なり、設定値のみから、効果がないと判定できる場合がある。以下、お勧め処理の中で文字強調をお勧めする際のシーケンスについて、図８を用いて説明する。
【０１１５】
ステップＳ６０１からステップＳ６１９までは省略する。
【０１１６】
まず、ステップＳ８０１において、効果判定部４０４は、設定値に対して効果があるか否かを判定する。効果があると判定されると、ステップＳ８０２にて、効果判定部４０４は、効果がある旨を画像処理部４０２へ通知する。
【０１１７】
また、効果がないと判定されると、ステップＳ６２５＿１にて効果判定部４０４は、効果がない旨を画像処理部４０２へ通知する。すなわち、ステップＳ６２０からステップＳ６３１を行わずステップＳ６３２以降の処理を行い終了する。
【０１１８】
以降、ステップＳ６２０からステップＳ６３１までの処理は第１の実施形態と同じである。ただし、ステップＳ６２１における画像判定部４０３では、色文字判定部４０３＿２が、画像中に色文字があるか否かを判定する。そして、ステップＳ６３１における画像処理部４０２が行うお勧め処理は、文字強調である。
【０１１９】
ここで、ステップＳ８０１およびステップＳ６２４で行われる、文字強調の効果判定部内の効果判定部４０４＿３についてのフローを、図１１を用いて説明する。
【０１２０】
本フローチャートの各ステップは不図示の制御プログラムは画像処理装置１０１の不図示の記憶装置に格納されており、ＲＡＭ２１３にロードされて、ＣＰＵ２１１によって実行されるものである。
【０１２１】
初めに、Ｓｔｅｐ１１０１では、効果判定部４０４＿３は、ステップＳ６１４にて設定値管理部４０４＿１が登録した入出力の設定値を取得する。
【０１２２】
次に、Ｓｔｅｐ１１０２では、効果判定部４０４＿３は、入出力の設定値から、処理対象の画像に対して文字強調を実行すると効果が得られるか否かを判定する。ここでの詳細フローは後述する。
【０１２３】
判定の結果、効果が得られると判定された場合Ｓｔｅｐ１１０３へ進み、効果がえられないと判定されればＳｔｅｐ１１０５へ進む。
【０１２４】
そして、Ｓｔｅｐ１１０３では、効果判定部４０４＿３は、６２３にて画像判定結果管理部４０４＿２が登録した判定結果を取得する。
【０１２５】
その後、Ｓｔｅｐ１１０４では、効果判定部４０４＿３は、Ｓｔｅｐ１１０３で取得した結果から、処理対象画像に対して文字強調を実行すると効果が得られるか否かを判定する。判定の結果、効果が得られると判定された場合Ｓｔｅｐ１１０６へ進み、効果が得られないと判定されればＳｔｅｐ１１０５へ進む。
【０１２６】
そして、Ｓｔｅｐ１１０５では、効果判定部４０４＿３は、画像処理部４０２へ効果がない旨を通知して終了する。これにより、文字強調を行わずに、画像後処理４０２＿３を行う。
【０１２７】
また、Ｓｔｅｐ１１０６では、効果判定部４０４＿３は、画面表示部４００へ効果がある旨を通知する。そして、画面表示部４００は、ユーザーに対して文字強調の効果を表示し、処理対象の画像に対して文字強調を行うか否かの選択を促す表示を行う。
【０１２８】
次にＳｔｅｐ１１０２で行った効果があるか否かの判定について図１２のフローを用いて説明を行う。ここでは、コピーを行う際の判定方法について述べる。
【０１２９】
初めに、Ｓｔｅｐ１２０１では、スキャナの読み込み設定がカラー読み（カラー入力）であるか否かを判定する。すなわち、スキャナがモノクロ読み（モノクロ入力）であれば、色文字を判定することができないので効果ないと判定される。したがって、カラー読み（カラー入力）であればＳｔｅｐ１２０２へ進み、モノクロ読み（モノクロ入力）であればＳｔｅｐ１２０３へ進む。
【０１３０】
次に、Ｓｔｅｐ１２０２では、出力設定がモノクロ出力であるか否かを判定する。先にも述べたように、文字強調は、色文字をモノクロ出力する際に薄くなるのを防ぐために色文字を強調する処理であるため、モノクロ出力を行うことが原則となる。したがって、モノクロ出力であれば、Ｓｔｅｐ１２０４へ進み、カラー出力またはカラー自動判定であればＳｔｅｐ１２０３へ進む。
【０１３１】
そして、Ｓｔｅｐ１２０３では、効果なしと判定し終了する。また、Ｓｔｅｐ１２０４では、効果ありと判定し終了する。
【０１３２】
最後に、Ｓｔｅｐ１００６で行う、文字強調の効果の表示方法や文字強調を行うか否かの選択を促す表示方法について説明を行う。
【０１３３】
文字強調の効果の表示方法は、例として、図１６の１６０１に示すように、出力物に対して効果がある旨を表示する。また、文字強調を行うか否かを指定するボタン１６０２、１６０３を備え、１６０２は、文字強調を行う指示を出すボタンであり、１６０３は、文字強調を行わない指示を出すボタンである。さらに、カラー文字を強調した場合の画像の例をプレビューするためのボタン１６０４を備える。このボタン１６０４は、図１７にあるように入力の色文字画像１７０１に対してモノクロ出力は１７０２となるものが、文字強調を行ったモノクロ出力は１７０３となるといった、改善がわかる画像の例となる。
【０１３４】
以上、白紙スキップ以外の文字強調による実施形態について説明を行った。
【０１３５】
これにより、白紙スキップ以外の処理も同様に、ユーザーが意識して利用しなかった処理の効果を表示することで、効果がある場合のみ、ユーザーに対して画像処理の実行を提案することができる。よって、ユーザーは、その機能が適用される条件や用途、実際に機能を適用した時に得られる効果が詳しくわからなくても、処理対象の画像に対して効果的な画像処理を実行することができる。
【０１３６】
また、効果があると判定された処理を実際に行うか否かをユーザーが決定できる。ここで、一度ユーザーが処理を実施するよう決定すると、認証情報ＤＢ４０９にその旨を更新させ、次回の処理以降はユーザーに設定されなくても効果があると判定された画像処理を行ってもよい。これにより、ユーザーに対し利便性を向上させることができる。
【０１３７】
（実施形態４）
実施形態４では、クラウドサービスサーバー１３１においてお勧め処理を行う場合について述べる。
【０１３８】
《ハードウェア構成例−クラウドサービスサーバー、端末》
図３は、クラウドサービスサーバー１３１の構成を示すブロック図である。ＣＰＵ３１１を含む制御部３１０は、クラウドサービスサーバー１３１全体の動作を制御する。ＣＰＵ３１１は、ＲＯＭ３１２に記憶された制御プログラムを読み出して各種制御処理を実行する。ＲＡＭ３１３は、ＣＰＵ３１１の主メモリ、ワークエリア等の一時記憶領域として用いられる。ＨＤＤ３１４は、画像データや各種プログラム、或いは後述する各種情報テーブルを記憶する。
【０１３９】
ネットワークＩ／Ｆ３１５は、制御部３１０（クラウドサービスサーバー１３１）をインターネット１２０に接続する。ネットワークＩ／Ｆ３１５は、ＬＡＮ１１０上の他の装置との間で各種情報を送受信する。
【０１４０】
《ソフトウェア構成例−クラウドサービスサーバー》
図５はクラウドサービスサーバー１３１のソフトウェア構成を説明するための図である。図５に示す各機能部は、クラウドサービスサーバー１３１のそれぞれが有しているＣＰＵ３１１が制御プログラムを実行することにより実現される。
【０１４１】
クラウドサービスサーバー１３１は、画像処理アプリケーション５０１を有する。
【０１４２】
画像処理アプリケーション５０１は、通信部５１１、画像処理部５１２、画像判定部５１３、効果判定部５１４、設定値管理部５１５からなる。
【０１４３】
以下、それぞれの機能の働きについて説明を行う。
【０１４４】
通信部５１１は、画像処理装置１０１およびＰＣなどの端末１０２からの画像や設定値を受信して、画像を画像処理部５１２へ送信し、設定値を設定値管理部５１５へ通知する。画像処理部５１２は、通信部５１１から送信される画像と、設定値管理部５１５から通知される設定に基づいて画像処理を行う。画像判定部５１３は、画像処理部５１２から送信される画像から、お勧め処理が効果あるか否かの判定を行う。効果判定部５１４は、設定値管理部５１５から通知される設定値と、画像判定部５１３から、お勧め処理が効果あるか否かの判定を行う。設定値管理部５１５は、通信部５１１から通知される設定値を管理し、設定値を画像処理部５１２、効果判定部５１４へ送付する。
【０１４５】
ここで、クラウドサービスサーバー１３１内の画像処理部５１２は、画像処理装置１０１内の前記画像処理部４０２と同じ構成をとるものとする。また、同様に、画像判定部５１３は画像判定部４０３と、効果判定部５１４は効果判定部４０４と、設定値管理部５１５は、設定値管理部４０５と同じ構成を取るものとする。
【０１４６】
《クラウドサービスサーバー上で画像処理を行う際のシーケンス》
ここでは、お勧めの処理をクラウドサービスの画像処理部５１２内で行う場合について述べる。また、図１３を用いて説明を行うが、図６と同じ処理については説明を省略する。
【０１４７】
ステップＳ６０１からステップＳ６１０は説明を省略する。
【０１４８】
まず、ステップＳ６１１において、設定値管理部４０５は、設定値の登録を行う。
【０１４９】
次に、ステップＳ６１２において、設定値管理部４０５は、設定値を画像処理部４０２に通知する。
【０１５０】
そして、ステップＳ１３０１において、設定値管理部４０５は、設定値を通信部４１０に通知する。
【０１５１】
ステップＳ１３０１における通知を受けて、ステップＳ１３０２において、画像処理装置１０１内の通信部４１０は、設定値をクラウドサービスサーバー内の通信部５１１に通知する。
【０１５２】
そして、ステップＳ１３０３において、通信部５１１は、設定値を設定値管理部５１５に通知する。
【０１５３】
ステップＳ１３０３で通知された設定値をステップＳ１３０４において、設定値管理部５１５は、設定値を登録する。
【０１５４】
そして、ステップＳ１３０４において登録した設定値をステップＳ１３０５において、設定値管理部５１５は、設定値を画像判定部５１３に通知する。
【０１５５】
同様に、ステップＳ１３０６において、設定値管理部５１５は、設定値を効果判定部５１４に通知する。
【０１５６】
同様に、ステップＳ１３０７において、設定値管理部５１５は、設定値を画像処理部５１２に通知する。
【０１５７】
そして、ステップＳ１３０８において、画像判定部５１３は、設定値を登録する。
【０１５８】
また、ステップＳ１３０９において、効果判定部５１４は、設定値を登録する。
【０１５９】
また、ステップＳ１３１０において、画像処理部５１２は、設定値を登録する。
【０１６０】
ステップＳ６１３からステップＳ６１９については省略する。
【０１６１】
そして、ステップＳ１３１１において、画像処理部４０２は、通信部４１０に画像を送信する。
【０１６２】
ステップＳ１３１１において送信した画像を、ステップＳ１３１２において、通信部４１０は、通信部５１１に画像を送信する。
【０１６３】
ステップＳ１３１２において送信した画像を、ステップＳ１３１３において、通信部５１１は、画像判定部５１３に画像を送信する。
【０１６４】
そして、ステップＳ１３１４において、画像判定部５１３は、画像を受信する。
ステップＳ１３１２において送信した画像を、ステップＳ１３１５において、通信部５１  １は、画像処理部５１２に画像を送信する、
そしてステップＳ１３１６において、画像判定部５１３は、画像を判定する。ここで、白紙判定部４０３＿１、色文字判定部４０３＿２、パンチ穴判定部４０３＿３、ＢＯＯＫ枠判定部４０３＿４による画像の判定が行われる。すなわち、それぞれの処理を行う場合に、効果が得られるか否か判定が行われる。
【０１６５】
そして、ステップＳ１３１５において送信した画像をステップＳ１３１７において、画像処理部５１２は、画像を受信する。
【０１６６】
ステップＳ１３１８において、画像判定部５１３は、ステップＳ１３１６において判定した判定結果を効果判定部５１４へ通知する。
【０１６７】
ステップＳ１３１９において、画像処理部５１２は、画像処理を行う。ここでは、画像前処理４０２＿１が行われる。ステップＳ６１９でも行われるため、ステップＳ６１９かステップＳ１３１９のどちらかだけ実施すればよい。なお、画像処理部５１２は、クラウドサービスサーバー１３１上であり、画像前処理４０２＿１の処理の追加、更新が容易であるため、ステップＳ６１９では画像処理４０２＿１を行わずステップＳ１３１９にて行うのが望ましい。
【０１６８】
ステップＳ１３２０において、効果判定部５１４は、ステップＳ１３１８において画像判定部５１３から通知された判定結果を登録する。
【０１６９】
ステップＳ１３２１において、効果判定部５１４は、ステップＳ１３０９において登録した設定値と１３２０において登録した判定結果からお勧め処理が効果あるか否かを判定する。
【０１７０】
ここで、お勧め処理のうち１つでも効果があればステップＳ１３２２以下の処理を行い、１つの処理も効果がないと判定した時は、別途述べる。
【０１７１】
まず、ステップＳ１３２２において、効果判定部５１４は、通信部５１１に効果を通知する。
【０１７２】
次に、ステップＳ１３２３において、通信部５１１は、通信部４１０に効果を通知する。
【０１７３】
そして、ステップＳ１３２４において、通信部４１０は、画面表示部４００に効果を通知する。
【０１７４】
以下、ステップＳ６２６からステップＳ６２９については第１の実施形態と同じなので説明を省略する。
【０１７５】
まず、ステップＳ１３２５において、設定値管理部４０５は、通信部４１０にお勧め処理の内容を通知する。
【０１７６】
次に、ステップＳ１３２６において、通信部４１０は、通信部５１１に、お勧め処理の内容を通知する。
【０１７７】
そして、ステップＳ１３２７において、通信部５１１は、設定値管理部５１５にお勧め処理の内容を通知する。
【０１７８】
同様に、ステップＳ１３２８において、設定値管理部５１５は、画像処理部５１２にお勧め処理の内容を通知する。
【０１７９】
そして、ステップＳ１３２９において、画像処理部５１２は、お勧め処理を含む画像処理内容を施すための設定値の登録を行う。
【０１８０】
その後、ステップＳ１３３０において、画像処理部５１２は、１３２９で登録した設定値に基づいて画像処理を行う。ここでは、お勧め処理のうちいずれかに基づいて行う。
【０１８１】
ステップＳ１３３１において、画像処理部５１２は、通信部５１１に画像を送信する。
【０１８２】
ステップＳ１３３２において、通信部５１１は、通信部４１０に画像を送信する。
【０１８３】
ステップＳ１３３３において、通信部５１１は、画像処理部４０２に画像を送信する。
【０１８４】
ステップＳ１３３４において、画像処理部４０２は、画像処理を行う。ここで、画像処理部４０２は、画像後処理４０２＿３を行う。
【０１８５】
ステップＳ１３３５において、画像処理部４０２は、画像出力部４０６に画像を通信する。
【０１８６】
ステップＳ１３３６において、画像出力部４０６は、画像を出力する。
【０１８７】
以上、ステップＳ１３２１において、効果があると判定した場合について話したが、効果がないと判定した場合、
ステップＳ１３２１＿１において、効果判定部５１４は、画像処理部５１２に効果がない旨を通知する。その時は、ステップＳ１３２２からステップＳ１３２４および、ステップＳ６２７からステップＳ６２９さらに、ステップＳ１３２５からステップＳ１３３０を行わず、ステップＳ１３３１からステップＳ１３３６を行い終了する。
【０１８８】
以上によって、クラウドサービスサーバー１３１の画像処理部５１２内で行う場合について説明を行った。
【０１８９】
本実施形態では詳細は省略するが、実施形態２のように、お勧め処理を設定した場合、認証情報ＤＢ４０９を更新してもよい。
【０１９０】
以上の説明によって、クラウドサービスサーバー１３１内で効果判定部５１４による判定や画像処理部５１２により画像処理を行っても実施形態１から３のようにお勧め処理をお勧めすることが出来る。さらに、本実施形態にあるように効果を判定し、効果がある時にだけユーザーに処理の実行を勧める。さらに認証情報ＤＢ４０９に設定の更新を行うことで、お勧め処理を行うための条件を意識しないで、効果があると判定された場合にのみ自動的にお勧め処理が実行されるようになる。また、本実施例では、説明を簡単にするため、画像処理装置１０１内の画像処理部４０２と、クラウドサービスサーバー１３１内の画像処理部５１２の構成を同じとした。しかし、クラウドサービスサーバー１３１を用いると画像処理部５１２による画像処理や効果判定部５１４による判定に新たな処理を追加することが容易になるというメリットがある。
【０１９１】
また、画像処理装置１０１内にある認証情報ＤＢ４０９をクラウドサービスサーバー１３１内に備え、ユーザー情報と設定値を格納してもよい。そうすることで、ユーザーは、お勧め処理を設定した画像処理装置１０１だけではなく他の画像処理装置１０１においても、お勧め処理を実行するための条件を意識することなくクラウドサービスサーバー１３１にあるお勧め処理を使うことができる。
【０１９２】
（その他の実施形態）
本発明は、以下の処理を実行することによっても実現される。即ち、上述した実施例の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【０１９３】
また、上記実施例について電子写真装置を例に説明をしたが、インクジェットプリンタ、サーマルプリンタ等でもよく、本発明の主旨はプリンタの種類に限定されるものではない。また、記録剤として、電子写真印刷におけるトナーを例に説明したが、印刷に用いる記録剤は、トナーに限らずインク等他の記録剤であってもよく、本発明の主旨は記録剤の種類に限定されるものではない。
【図１】
2014107628.tif 000003
【図２】
2014107628.tif 000004
【図３】
2014107628.tif 000005
【図４】
2014107628.tif 000006
【図５】
2014107628.tif 000007
【図６】
2014107628.tif 000008
【図７】
2014107628.tif 000009
【図８】
2014107628.tif 000010
【図９】
2014107628.tif 000011
【図１０】
2014107628.tif 000012
【図１１】
2014107628.tif 000013
【図１２】
2014107628.tif 000014
【図１３】
2014107628.tif 000015
【図１４】
2014107628.tif 000016
【図１５】
2014107628.tif 000017
【図１６】
2014107628.tif 000018
【図１７】
2014107628.tif 000019